(57)【要約】 【課題】ＣＤ等の包装箱として、当該ＣＤが収容される扁平箱形状の箱本体部に、説明文用の表示部を書籍の表紙のような形態で複数ページを設けている包装箱において、上下逆転印刷を行なうことなく、また当該表示部の操作性を改善する。【解決手段】展開板が、扁平箱型の筒状本体部を形成する表裏面基板１１，１２及び側板１３と、最外側に位置する糊代部１４とを所定の折れ線を介して同一の横列に配置すると共に、扁平箱型に形成した筒状本体部の側方に表紙形態となる複数の表示部３ａ，３ｂを形成する二枚一組の表示板を、前記表裏面基板と同一の横列に配置し、外面に所定の印刷５を施して形成され、前記展開板における二枚一組の各隣接表示板の内面を互いに貼着して複数の表示部を形成すると共に、糊代部の貼着によって表裏面基板及び側板とで筒状本体部１を形成してなる。【選択図】図２
0003122559.tif 000002
【実用新案登録請求の範囲】
【請求項１】
展開板が、扁平箱型の筒状本体部を形成する表裏面基板及び側板と、最外側に位置する糊代部とを所定の折れ線を介して同一の横列に配置すると共に、扁平箱型に形成した筒状本体部の側方に表紙形態となる複数の表示部を形成する二枚一組の表示板を、前記表裏面基板と同一の横列に所定の折れ線を介して配置し、表裏面基板及び側板の何れかの一つ又は複数の上下に、折れ線を介して開口箇所を閉塞する蓋部を連設し、更に外面に所定の印刷を施して形成され、前記展開板における二枚一組の各隣接表示板の内面を互いに貼着して複数の表示部を形成すると共に、糊代部の貼着によって表裏面基板及び側板とで筒状本体部を形成してなることを特徴とする包装箱。
【請求項２】
展開板において、全ての表示板を連続配置してなる請求項１記載の包装箱。
【請求項３】
展開板において、筒状本体部を形成する表裏面基板及び側板における表裏面基板の一方を挟んで両側方向に表示板を配置してなる請求項１記載の包装箱。
【請求項４】
表示板を四枚として、二個の表示部を備えてなる請求項２又は３記載の包装箱。
【考案の詳細な説明】
【技術分野】
【０００１】
本考案は、ＣＤ、ＤＶＤ等のデジタルコンテンツ、ＣＤ−ＲＯＭのコンピュータソフトの包装箱に関するものである。
【背景技術】
【０００２】
ＣＤ等の包装箱として、当該ＣＤが収容される扁平箱形状の箱本体部に、説明文用の表示部を書籍の表紙のような形態を複数ページで設けているものが知られている（特許文献１）。
【０００３】
具体的には、箱本体部の上下端面板部分を貼着連結して筒状本体部を形成し、左右側板部分を開口箇所とし、表裏基板の各側方に別々に表示部のための表示基板を連設したものである。
【０００４】
【特許文献１】実開平３−３８７９６号公報。
【考案の開示】
【考案が解決しようとする課題】
【０００５】
扁平箱形状の箱本体部に、説明文用の表示部を書籍の表紙のような形態で設けるために前記した特許文献１記載の構成を採用すると、表面基板及び表面基板に連続する表示基板の印刷方向と、裏面基板及び裏面基板に連続する表示基板の印刷方向とが上下逆転してしまい、製造時の校正作業や確認作業が煩瑣となる。
【０００６】
また二枚の表示部の間の側板部分が開口箇所となり、ＣＤ等の収納取出しが不便であり、特に特許文献１の明細書に開示されている蓋体を備えていない場合（蓋体部分が閉じた側板となる）には、表示部自体が箱状本体部の開閉を行なうことになり、表示部の説明文を読むことはそのまま箱状本体部の開口となってしまい、箱の機能性の点で問題がある。
【０００７】
そこで本考案は、上下逆転印刷を行なうことなく、且つ複数ページの表示部を備えると共に、当該表示部の操作性を改善した新規な包装箱を提案したものである。
【課題を解決するための手段】
【０００８】
本考案に係る包装箱は、展開板が、扁平箱型の筒状本体部を形成する表裏面基板及び側板と、最外側に位置する糊代部とを所定の折れ線を介して同一の横列に配置すると共に、扁平箱型に形成した筒状本体部の側方に表紙形態となる複数の表示部を形成する二枚一組の表示板を、前記表裏基板と同一の横列に所定の折れ線を介して配置し、表裏面基板及び側板の何れかの一つ又は複数の上下に、折れ線を介して開口箇所を閉塞する蓋部を連設し、更に外面に所定の印刷を施して形成され、前記展開板における二枚一組の各隣接表示板の内面を互いに貼着して複数の表示部を形成すると共に、糊代部の貼着によって表裏基板及び側板とで筒状本体部を形成してなることを特徴とするものである。
【０００９】
また特に全ての表示板を連続配置（請求項２）したり、筒状本体部を形成する表裏面基板及び側板における表裏面基板の一方を挟んで両側方向に表示板を配置（請求項３）してなるものである。
【００１０】
而して隣接する二枚一組の表示板の内面を貼着することで一個の表示部が形成されるので、隣接する表示板の全ての内面を貼着して複数の表示部を形成し、更に糊代部の貼着によって表裏面基板及び側板とで筒状本体部を形成すると、表面基板の側方に複数の表示部が形成されることになる。
【００１１】
特に全ての表示板を連続配置した場合には、表面基板の一側方にページ形態に複数の表示部が形成され、表裏面基板の一方を挟んで両側方向に表示板を配置した場合には表面基板の両側に、観音開き状に表示部が形成される。
【考案の効果】
【００１２】
本考案は上記の構成を採用したものであるから、扁平箱型の筒状本体部及び表示部の外面となる箇所は、展開板において、同一面であり、蓋部を除きすべて横一列に配置されるので、印刷時には上下が全て一致した状態となり、印刷時の校正、箱組立前の印刷状態の確認作業が容易であり、また物品の出し入れを行なう開口部分は、表示部と関りのない上下端面となり、物品の収納機能性が高められたものである。
【考案を実施するための最良の形態】
【００１３】
次に本考案の実施形態について説明する。本考案に係る包装箱は、扁平箱型の筒状本体部１と、前記筒状本体部１の開口端面に設ける蓋部２と、筒状本体部１に付設された表示部３から構成されるもので、図１乃至３は、複数の表示部３ａ，３ｂが表面基板１１の一側方にページ形態で設けられた例である。
【００１４】
この第一実施形態の展開図は図１に示す通りで、筒状本体部１を形成する表面基板１１と、裏面基板１２と、二個の側板１３と、糊代部１４は横一列に配置されたものである。また各板部の間には全て折れ線４が設けられているもので、折れ線４の説明は以下省略する。
【００１５】
更に詳細に説明すると、表面基板１１の一側（最外側）に糊代部１４を配し、他側に側板１３を介して裏面基板１２を配置し、更に裏面基板に隣接して側板１３を配置してなるものである。
【００１６】
蓋部２は、表面基板１１の上下に連続して配置した蓋板２１と、蓋板２１に連続する差込板２２と、側板１３の上下に配置した補助板２３で構成される。
【００１７】
表示部３ａ，３ｂは、四枚の表示板３１，３２，３３，３４で構成され、筒状本体部１の側方（側板１３の隣）に連続形成される。
【００１８】
前記の展開板において、予め外面となる面全体に所定の印刷５を施してなるもので、印刷内容は、包装時の当該箇所の形態に対応して定められるもので、例えば表面側の最上面となる表示板３１には、表紙印刷を施し、他の面には商品の説明文等を印刷するものである。
【００１９】
包装箱の形成は、前記展開板において、表示板３１，３２の内面を互いに貼着して表示部３ａを形成し、更に表示板３３，３４の内面も互いに貼着して表示部３ｂを形成する。
【００２０】
そして筒状本体部１が扁平な箱型の筒形状となるように折曲し、糊代部１４を側板１３の内面に貼着して筒状本体部１を形成する。
【００２１】
前記の折曲貼着で包装箱が形成されるもので、被収納物Ａを筒状本体部１の上下端の開口部分から収納し、補助板２３を開口側に折曲し、差込板２２を裏面基板１２の内面に添って差し入れると、蓋板２１で開口箇所が閉塞されることになる。
【００２２】
従って前記包装箱は、収納箇所の他に、表示部３ａ，３ｂが２頁状態となり、多くの説明文を記載することができ、しかも印刷処理は、全て上下一致したものとなり、また被収納物Ａの出し入れを行う開口操作が、説明文が記載されている表示部３ａ，３ｂと関りなく行うことができるものである。
【００２３】
尚前記実施形態は、表示部を２頁構成としたが、更に展開板において表示板を二枚一組で連続形成すると、三頁以上の表示も容易に得られるものである。また蓋部２の構成も、前記実施形態に限定されるものではなく、筒状本体部１の開口端部が閉塞されるものであれば、その具体的な構成は任意に定められるものである。
【００２４】
次に図４乃至６に示した第二実施形態について説明する。第二実施形態は、複数の表示部３ｃ，３ｄが表面基板１１の両側方に設け、観音開き形態に形成した例である。
【００２５】
この第二実施形態の展開図は図４に示す通りで、基本的には第一実施形態と同様であるが、糊代部１４を側方に配置している表面基板１１に隣接して表示板３１，３２を配置し、この表示板３１，３２に隣接して側板１３、裏面基板１２、側板１３とを配置し、側板１３の外側に表示板３３，３４を連続させたものである。また蓋部２の配置構成並びに印刷５は、第一実施形態と同様である
【００２６】
而して第二実施形態の包装箱の形成は、前記展開板において、表示板３１，３２の内面を互いに貼着して表示部３ｃを形成し、更に表示板３３，３４の内面も互いに貼着して表示部３ｄを形成する。
【００２７】
更に筒状本体部１を構成する表面基板１１と、裏面基板１２と、二個の側板１３と、糊代部１４を扁平箱型の筒状に折曲し、糊代部１４を側板１３の内面に貼着して筒状本体部１を形成すると、包装箱が完成するものである。
【００２８】
前記包装箱は、第一実施形態の包装箱同様に、被収納物Ａを筒状本体部１の上下端の開口部分から収納し、補助板２３を開口側に折曲し、差込板２２を裏面基板１２の内面に添って差し入れて蓋板２１で開口箇所を閉塞するものである。
【００２９】
従って前記包装箱は、第一実施形態の包装箱同様に、収納箇所の他に表示部３ｃ，３ｄが観音開き状態となり、多くの説明文を記載することができ、印刷処理は、全て上下一致したものとなり、また被収納物Ａの出し入れを行う開口操作が、説明文が記載されている表示部３ｃ，３ｄと関りなく行うことができるものである。
【００３０】
尚前記第二実施形態においても、表示板を二枚一組で、表示板３１，３２に隣接し、或いは表示板３３，３４に隣接して連続形成すると、多数の表示部を備えることも可能である。
【図面の簡単な説明】
【００３１】
【図１】本考案の第一実施形態の展開図。
【図２】同組立途中の説明図。
【図３】同組みあがり状態の斜視図。
【図４】本考案の第二実施形態の展開図。
【図５】同組立途中の説明図。
【図６】同組みあがり状態の斜視図。
【符号の説明】
【００３２】
１        筒状本体部
１１      表面基板
１２      裏面基板
１３      側板
１４      糊代部
２        蓋部
２１      蓋板
２２      差込板
２３      補助板
３ａ，３ｂ，３ｃ，３ｄ    表示部
３１，３２，３３，３４    表示板
４        折れ線
５        印刷
【図１】
0003122559.tif 000003
【図２】
0003122559.tif 000004
【図３】
0003122559.tif 000005
【図４】
0003122559.tif 000006
【図５】
0003122559.tif 000007
【図６】
0003122559.tif 000008